(57)【要約】【課題】設置高さが２メーター以上もの目隠しパネルは、目隠し性の必要から、パネル面が閉ざされた面であることが多く、強風時に大きな荷重をうけることになり、支柱や、基礎を高強度にしておく必要があり、高価なものになっていた。【解決手段】本目隠し防風パネルの発明は、平常時はルーバーの両端に設けたトーションばねで鉛直を維持させ、ある一定以上の強風になると、そのパネルのルーバーに受ける風を、ルーバーを可動させることで逃がし、相当な強風でも耐える目隠し性の高い防風フェンスを構築できるところにある。【選択図】図１３
2013245448.tif 000002
【特許請求の範囲】
【請求項１】
支柱とパネルで構成される目隠し防風パネルにおいて、そのパネルに構成されたルーバーを可動自在に配設すると共に、その片端部及び又は両端部をばね材で可動を制御したことを特徴とする目隠し防風パネル。
【請求項２】
請求項１で構成される目隠し防風パネルにおいて、そのパネルに構成されたルーバーが断面で正面からルーバー間にすき間が生じないようにした構成にして上方から下方に順次
、チドリ状に配設してなることを特徴とする目隠し防風パネル。
【発明の詳細な説明】
【技術分野】
【０００１】
本発明は、目隠し性を備えた防風パネルに於いて、パネル面全体に構成したルーバーを可動自在とすることで、比較的弱いパネル枠材や支柱でも、強風時に損傷のない風除け目隠し防風パネルに関する。
【背景技術】
【０００２】
従来の目隠しパネルのその構成は、帯状のアルミニウム製形材のルーバーを複数個、枠材に固定する形で構成している。
【０００３】
そして、隣地との境界に取り付けられるのであるが、その目的が防犯の為であったり、目隠しの為であったりするが、更に透光性や十分な通風性があると共に、近年多発するようになった、突風などの強風時にも充分な強度があるのが理想であるが、そのようになっていない目隠し柵が多いのが実情である。
【０００４】
しかしながら、支柱とパネルの構成で目隠し性と強度を考慮する必要があるが、使用しているアルミニウム製形材のルーバーが連結されていないことが多く、個々に帯状のルーバー単独で機械的強度を確保する必要があり、従って強風時でも耐えるようにするには、当然肉厚の厚い物とかの、断面性能の大きいものを使わざるを得なかったのである。
【０００５】
特に突風などの強風時に目隠し柵として十分な強度を持たせるためには、パネルは勿論のこと、支柱や基礎においても強風に十分耐える高強度なものにする必要があり、高価なものになっていた。
【０００６】
〔特許文献1〕には、施工現場への搬入等の取り扱いが容易であり、且つ施工も正確に且つ能率よく行えると共に強度的にも優れ、更に、良好な外観を呈する目隠しフェンスの構造を提供する。とあり、支柱とこの支柱の前面に直列状に装着される複数個の取付具と、支柱の前面間に上下方向に並列状態に取付られる複数枚の羽根とからなり、この羽根は正面横長長方形状の前面板片の上下端縁に後方に向かって斜め下方に傾斜した傾斜片を突設していると共にこれらの上下傾斜片の後端に下方に向かって屈折した上下取付片を形成してなる。そして、左右に対向した支柱の前面に装着されている各取付具の前面間にこの羽根を架設状態に配設してその上下取付片を取付具の上向き開口の上下支持溝に差し込むことにより張設してフェンスを構成している。
【０００７】
しかし、このように構成された目隠しフェンスは、目隠し性と透光性並びに通風性があるが、通気性は一定であり、突風などの突然の強風時に強度的に充分な物にするためには、ルーバーの断面性能を大幅に上げるとか、支柱を相当高強度のものにする必要があり高価な目隠し柵となるのである。
【０００８】
〔特許文献２〕には、隣り合うルーバー板を通気間隔の部分で連結出来て強度的に強固にできる。とあり、その構成は、上下横枠と左右の縦枠とで矩形状のフェンス枠を形成する。上下横枠間に亙るルーバー板を左右の縦枠間に複数枚並べて取り付ける。左右に隣合
うルーバー板間において一方のルーバー板の左右方向の一端と他方のルーバー板の左右方向の他端とを前後に通気間隔を隔てて重ねる。上下方向に亙る通気間隔の適所に一対の狭持板を配置する。隣り合うルーバー板の一端と他端とを一対の狭持板で狭持すると共に一対の狭持板をねじ具にて締結する。
【０００９】
しかし、このように通風の部分を持った目隠し柵ではあるが、ルーバーとなる板材を完全に固定していることから、突然の突風や、強風に対しての逃げが無く、まともに風圧を受けることになる。従って、その荷重を受けて倒れないようにするためには、極めて大きな断面の支柱が必要であるし、その基礎も極めて堅固なものが必要となる。
【００１０】
【特許文献１】特開２００４−３６２９８
【特許文献２】特開平０６−２４０９２８
【発明の概要】
【発明が解決しようとする課題】
【００１１】
本発明は、以上のような従来の欠点に鑑み、戸建て住宅、アパート、マンション等の隣地との境界などに使用される目隠し柵は、目隠し性を目的とした物であり、併せて通気性についても配慮したいのであるが、目隠し性が高くても風が通らなかったり光が遮られてしまったり、背の高い目隠し柵では、強風時にも充分な強度のあるものにする為には、とんでもない高強度の支柱や基礎が必要である。そこで目隠し性が高く通気性もあり、透光性の要求や突風にも対応できる目隠し防風パネルを提供せんとするものである。
【００１２】
更には、アルミニウム製形材やプラスチックスの押し出し形材の持っている成形性に着眼しつつ、パネルとしての機械的強度に目隠し性の機能を付与すると共に、使用部材の選定によっては、プラスチックの持つ透光性をも取り入れられて、一定以上の風荷重を極力受けない理想的な目隠し防風パネルを提供することを目的としている。
【課題を解決するための手段】
【００１３】
請求項１では、支柱とパネルで構成される目隠し防風パネルにおいて、そのパネルに構成されたルーバーを可動自在に配設すると共に、その片端部及び又は両端部をばね材で可動を制御したことを特徴とする目隠し防風パネルとした。
【００１４】
これは、ある一定以上の強風を受けても、ルーバーの帯状の片端部及び又は両端部に取り付けたばね材例えばトーションばねのようなものが、風速例えば５メーター以上になると、ルーバーが開き、また風が収まると元の位置に戻るようにして、ルーバーが開いて風荷重を軽減させるようにしたのである。
【００１５】
請求項２では、請求項１で構成される目隠し防風パネルにおいて、そのパネルに構成されたルーバーが正面から見てルーバー間にすき間が生じないようにした構成にして、上方
から下方に順次チドリ状に配設してなることを特徴とする目隠し防風パネルとした。
【００１６】
これは、正面からの目隠し性が高く、パネルの厚みは少々厚くなるが、風の弱い時にでも通気性があるなど、目隠し柵として理想に近い構成を狙った防風パネルとした。
【発明の効果】
【００１７】
以上の説明から明らかなように、本発明にあっては次に列挙する効果が得られる。
（１）パネルに構成されたルーバーを可動しやすい状態に配設すると共に、そのルーバーの片外側及び又は両外側の端部に、トーションばねで可動部を制御出来るようにしたので、強風時や突然の突風でもルーバーが可動して、柳に風の如くに風を逃がすことが出来る。
【００１８】
（２）風を逃がすことが出来るので、目隠し防風パネルの枠材の強度もそれほど上げないで済むし、
【００１９】
（３）支柱や基礎も極めて簡素なものでも良いことになる。
【００２０】
（４）当然、風が収まれば複数個のルーバーが鉛直に並び目隠し性のあるパネルとなる。
【００２１】
（５）ばねの強度を変えることで簡単に、設置場所にあった目隠し性と風荷重の設計が可能である。
【００２２】
請求項２では、更に次のような効果がある。
（６）  そのパネルに構成されたルーバーが、断面で正面からルーバー間に目隠し性を落とすすき間が無くなるし、
【００２３】
（７）断面でルーバーを上から下に、前後にチドリ状に構成しておけば、通気性も良好な目隠し防風パネルとなる。
【図面の簡単な説明】
【００２４】
【図１】目隠し防風パネルの設置状態の一般図
【図２】防風パネルの正面図
【図３】ルーバーの斜視図
【図４】トーションばね斜視図
【図５】横枠の部分斜視図
【図６】縦枠の部分斜視図
【図７】防風パネルの正面中央のＡ−Ａ’部分断面図
【図８】防風パネルの部分側面図
【図９】図７のルーバーを左右に回動した動きの説明の部分断面図
【図１０】請求項２の縦枠の部分斜視図
【図１１】請求項２の防風パネルの正面中央のＡ−Ａ’部分断面図
【図１２】請求項２の防風パネルの部分側面図
【図１３】図１１のルーバーを左右に回動した動きの説明の部分断面図
【図１４】トーションばねの変形実施例の斜視図
【図１５】図１１のルーバーの無風時の風の動きの説明の部分断面図
【図１６】図１１のルーバーの強風時の風の動きの説明の部分断面図
【図１７】第２図の防風パネルのルーバーを縦に並べた防風パネルの正面図である。
【図１８】板ばねを使用した時の部分側面図である。
【発明を実施するための形態】
【００２５】
以下本発明の実施の形態を図に基づいて説明する。
【実施例１】
【００２６】
図１は、目隠し防風パネル１を段積した設置状態の一般図で、地上３メーターとなるよう、支柱３を２メーターピッチで建てて、その支柱間に概略寸法で、縦１メーター横２メーターの防風パネル２を３枚、段積して装着させる。この時の支柱の断面はＨ形鋼や、矩形のパイプなど色々な形状のまので構成される。又、支柱３は基礎ブロック４で固定される。
【００２７】
図２は、縦１メーター横２メーターの防風パネル２の正面図で、主要部材としてルーバー図３を、目隠し部材の主要部材として組み込まれるとき、５枚から２０枚程度のルーバー５の枚数で構成される。そしてこの１メータ−から２メーターのルーバー５の両端部はパイプ部分を残してルーバー帯状板部８を両端部に１０ミリから５０ミリメートル程度切り欠いて、パイプ部の両端部８が突き出るように構成する。
【００２８】
図３は、防風パネル２の目隠し用の主要部材として使用されるルーバー５の斜視図である。このルーバー５の形は色々と変えられる。例として丸パイプ状部９の下に帯状となる部分をぶら下げた形状を例示した。この時の丸パイプ状部９の丸い部分の直径は、１０ミリメートルから３０ミリメートル程度で、帯状板部８の幅は５０ミリメートルから２００ミリメートル程度が適当である。
【００２９】
ルーバー５が縦１メーター横２メーターの防風パネル２の目隠し部材として組み込まれるとき、１０枚程度のルーバー５で構成されるのが適当であるが、それ以上でもそれ以下であってもいい。そしてこの１メーター〜２メーターのルーバー５の両端部及び又は片端部はパイプ部分を残して帯状板部８を１０ミリから５０ミリメートル程度切り欠いて、パイプが両端部で突き出すように加工してパイプ端部１０を構成してもいいし、突き出す部分のみパイプ端部１０の代わりに別にパイプを挿入してルーバー５に固着させても良い。
【００３０】
図４はトーションばね１１で斜視図のような形状の物を防風パネル２のコノ字形の両縦枠６から突出しているルーバー５のパイプ状の両端部１０に取付する。そのパイプ状部１０の中央断面を貫通させる形で、トーションばね１１やトーションばねのパイプ結合部１５を装着して構成させると共に、トーションばね１１の別の端部である、トーションばね縦枠結合部１６をパネルの縦枠材６の側面に当接させる。左右のトーションばねの動きの制御を逆向きすることは当然である。
【００３１】
この時、トーションばね11の強度が繰り返しの可動によって、劣化が無いような強度のある物に設計をしておく必要があるし、ルーバー５のパイプ状部９などに構成した穴明部との接合部などにおいても、摩耗などによるへたれがない様に設計しておくのは勿論である。
【００３２】
図５は、防風パネル２の横枠７の部分断面図である。横枠６の概略寸法は矩形の各辺が３０ミリメートルから８０ミリメートル程度の寸法で構成される。横枠７に設けたタッピングホール１２にコノ字形の縦枠６の上部と下部との左右四方で組みつけられる。
【００３３】
図６は、防風パネル２の縦枠６の部分斜視図である。縦枠６の概略寸法はコノ字形の各辺が３０ミリメートルから８０ミリメートル程度の寸法で構成される。長さは５０センチメートルから１メーター程度で構成される。この縦枠６はコノ字形が好ましいが、Ｌ形やそのほかの形であっても差し支えはない。
【００３４】
図７は、防風パネル中央Ａ−Ａ’の部分断面図である。丸パイプの下に鉛直にぶら下がる形でルーバー５を構成する。この時ルーバー５とルーバー５の鉛直の接点は０.５ミリメートルから１０ミリメートル程度にすると目隠し性が維持できるが、これより間隔が開くと目隠し性が損なわれる。しかし用途によって、例えば大まかに遠方からの目隠し性が維持できればいいような場面では、更に間隔を広げても良い。
【００３５】
防風パネル２の縦断面で鉛直にルーバー５を規則正しく並べるのは良いが、例えば０.５ミリメートルから１ミリメートル程度の隙間がどうしても必要であり、近距離からでは、１００ミリメートルの帯状のルーバー５を鉛直にぶら下げて構成したそのルーバー間に出来る１ミリメートルの隙間でも目隠し性を落とすことになる。この僅かであるが隙間が、信じられないがその先の景色を映し出すのである。
【００３６】
図８は、防風パネルの部分側面図である。縦枠６から突き出たパイプ端部１０に図４のトーションばね１１を構成する。この時、図４のトーションばね１１の斜視図のような形状のばねを防風パネルのコノ字形の両縦枠から突出しているパイプ端部１０に取付する。トーションばねの片方の一端をパイプ状のパイプ端部１０の断面を貫通させる形で、装着させると共に、トーションばね１１のもう一方の端部１６をパネルの縦枠６の面に当接させる。
【００３７】
図９は、図７のルーバー５を断面で左右に回動した動きの説明の部分断面図である。丸パイプ状部９の下に鉛直に帯状板部８がぶら下がる形でルーバー５が構成されているが、ルーバー５とルーバー５の鉛直での隙間は０.５ミリメートルから１０ミリメートル程度の隙間のある状態で構成して、強風時に左右どちらかに振り子の動きのように回動して、風を逃がすのである。この隙間に軟質の物質、例えばゴムや繊維質の物など、振り子の運動を邪魔しないものを取り付けて目隠し性を上げる工夫をしても良い。
【００３８】
図１０は、請求項２の縦枠６の部分斜視図である。穴１４はルーバー５のパイプ端部１０を通す穴である。ビス穴１３は横枠７のタッピングホール穴１２にビスで固着するための穴である。
【００３９】
図１１は、請求項２の目隠し防風パネル２の正面中央の部分断面図である。図７では、防風パネル中央断面のほぼセンターに、丸パイプ９の下に鉛直に帯状の板がぶら下がる形で順にルーバー８を構成していたが、この時ルーバーとルーバーの鉛直の隙間は０.５ミリメートルから１０ミリメートルと、隙間をあける必要があったが、近くではどうしても目隠し性が損なわれる。しかし図１１のように鉛直の断面でチドリにルーバー５をぶら下げることで、強い風でない時でも通気性が良好であるし目隠し性の高い防風パネルになるのである。
【００４０】
図１２では、請求項２の防風パネルの部分側面図である。図８では、縦枠から突き出た丸パイプに図４のスプリングを構成した。この時、図４では、鉛直にルーバー５を配置していたが、ここではチドリに配置しているので当然、トーションばね１７も図１２のような配置となる。ここでは、図１４のトーションばねを使用した図としたこのばねは左右に取付するトーションばねを一つでその役割をさせようとするものであって、ばねのネジリの途中を逆方向にねじった形状のものである。
【００４１】
図８ではトーションばね１１の片方の一端をパイプ１０状の断面を貫通させる形で、装着させると共に、トーションばねの別の端部をパネルの縦枠６材の面に当接させたが、図１４のトーションばね１７を使うと防風パネル２の片側の側面にだけこのトーションばね１７を装着させるだけで済む。一つのトーションばねで左右の動きに対して制御できるのである。
【００４２】
図１３では、図１１のルーバー５が強風を受けて左、右に回動した動きの説明の部分断面図である。ルーバー５は断面でチドリ状に上から下に、ルーバー５間の水平での重なりが略１ミリメーター以上となるように構成すれば、目隠し性が高く強風時のルーバー５の動きも何ら支障なくスムーズなものとなるのである。
【００４３】
図１５では、図１１のルーバー５の無風時の風の動きの説明の部分断面図である。右から左に、左から右にと空気の動きが殆んど遮られないで移動できるのである。
【００４４】
図１６では、図１１のルーバー５の強風時の風の動きの説明の部分断面図である。この図では左から右に風の動きの絵になっているが、右から左に、左から右にと風の動きが殆んど遮られないで移動できるのである。
【００４５】
図17では、ルーバーが横並びになっているのに対して縦方向に並べた事例を図示している。
【００４６】
図18は、図１４のトーションばねを板ばね１８に変えた時の事例である、このような板ばね１８の使い方でも良いし、その他であっても勿論良い。
【００４７】
このようにして構成することで、台風や突然の強風にもルーバー５が風を逃がす形で可動し、パネルや支柱３、基礎４に大きな荷重が掛らなくて済むので、極めて経済的なものとなるのである。
【符号の説明】
【００４８】
１  目隠し防風パネル
２  防風パネル
３  支柱
４  基礎ブロック
５  ルーバー
６  縦枠
７  横枠
８  帯状板部
９  丸パイプ状部
１０  パイプ端部
１１  トーションばね
１２  タッピングホール
１３  タッピングホール穴
１４  穴
１５  トーションばねパイプ結合部
１６  トーションばね縦枠結合部
１７  ビス
１８  板ばね
【図１】
2013245448.tif 000003
【図２】
2013245448.tif 000004
【図３】
2013245448.tif 000005
【図４】
2013245448.tif 000006
【図５】
2013245448.tif 000007
【図６】
2013245448.tif 000008
【図７】
2013245448.tif 000009
【図８】
2013245448.tif 000010
【図９】
2013245448.tif 000011
【図１０】
2013245448.tif 000012
【図１１】
2013245448.tif 000013
【図１２】
2013245448.tif 000014
【図１３】
2013245448.tif 000015
【図１４】
2013245448.tif 000016
【図１５】
2013245448.tif 000017
【図１６】
2013245448.tif 000018
【図１７】
2013245448.tif 000019
【図１８】
2013245448.tif 000020